(57)【特許請求の範囲】
【請求項１】
本設の竪樋の直径より大きい長さの横バーであり、その中央部に壁つなぎ金物と結合部を設け、その左右端で足場への掛着金物との結合部を設けたことを特徴とする足場の支持冶具。
【請求項２】
横バーと壁つなぎの金物とを結合する部分、および横バーと掛着金物とを結合する部分は、横バー上に設けたナットにより構成する請求項1記載の足場の支持冶具。
【発明の詳細な説明】
【技術分野】
【０００１】
本発明は、建築現場において、建物に竪樋を取り付ける際に使用する足場の支持冶具に関するものである。
【背景技術】
【０００２】
下記特許文献１にもあるが、竪樋は、建物の止水上、通常、外壁パネルの割付目地に設置される。これは本設の場合も、工事中の仮設の場合も同様である。
【特許文献１】実開平６−８７５３５号公報（登録実用新案２５６１１６５号公報）
【０００３】
図５は本設の竪樋１０の標準的な納まりの例であり、図中１は鉄骨柱、５は外壁パネル、６は外壁パネル５の目地で、目地６を貫通する壁つなぎ材１１で固定する。
【０００４】
また、壁つなぎ材１１と竪樋１０の結合は下記特許文献２にもあるように、開閉式に連結された割環体のバンド片１９を取付用ボルト１８を利用してねじの螺合により結合する。
【特許文献２】実開平１０−４号公報
【０００５】
この実開平１０−４号公報は、管又はたて樋の胴部を左右又は前後から抱持するようにヒンジ部を支点に開閉式に連結された一対のバンド片を、壁体等の面に取付ける金具であって、取付金具４の面に前方へ突出するように一体的に筒体を設けるとともに、この筒体５にバンド片２・３側に一体又は別体に設けられた取付用ねじ脚への螺入用ねじ孔を設けてなることを特徴とする管、たて樋支持金具取付装置である。
【０００６】
一方、外部足場は外壁の塗装等で使用されるものであるが、外力に耐えうるべく、建屋本体の鉄骨等から壁つなぎで固定されている。
【０００７】
こちらも、建物の止水上を考慮して、壁パネルの目地に設けることが多い。図６はその一例として下記特許文献３にも一例が示されたものであるが、鉄骨柱１を挟持する帯状金具２に頭部中央に袋ナット４を有する棒状金属材３を結合し、この棒状金属材３を外壁パネル５の目地６から突出させる。この袋ナット４を有する棒状金属材３が壁つなぎ材となる。
【特許文献３】実開昭６１−６５１４９号公報
【０００８】
前記図６では、外壁パネル５の目地６から外側に突出した棒状金属材３に対して、前記袋ナット４を介して、ターンバックル７ａを途中に有し、先端にクランプ８を設けたネジ棒７を結合し、クランプ８で例えば仮設足場の足場はちまき単管９を結着する。
【発明の開示】
【発明が解決しようとする課題】
【０００９】
このように、竪樋を建物の外壁パネルの割付目地に設置しようとすると、平面的に足場の設置との干渉を生じてしまうので、足場と本設樋の共存は難しい。
【００１０】
そこで工事中は本設ではなく、仮設としての樋を設置する。仮設の樋としてビニールホースが用いられる。屋上に降った雨は、外部の樋接続部から仮設のビニールホースを介して地盤に排水するのが通常である。
【００１１】
しかし、仮設のビニールホースは風にあおられ易く、設置した日の翌朝には建物の中に移動し、内装材等工事中に水に濡れてはならないものを濡らす場面も少なくはない。
【００１２】
また、ビニールホースが風によりねじられ、雨水の降下に支障をきたすことも多い。
【００１３】
さらに、ビニールホースは強度的にも弱く、穴が開き、塗装仕上げが完了した外壁を汚すことも多々ある。
【００１４】
本発明の目的は前記不都合を解消し、足場の設置と同時期に本設の樋をつなぎ込む事により、工事中の雨水の吹き込み、雨水による外壁への汚れが無くなり、仮設の樋設置工事も省略でき、また、壁つなぎを併設しても足場設置の支障となることもない足場の支持冶具を提供することにある。
【課題を解決するための手段】
【００１５】
請求項１記載の本発明は前記目的を達成するため、本設の竪樋の直径より大きい長さの横バーであり、その中央部に壁つなぎ金物と結合部を設け、その左右端で足場への掛着金物との結合部を設けたことを要旨とするものである。
【００１６】
請求項１記載の本発明によれば、外壁パネルと竪樋との間に横バーを設け、該横バーの中央部と建物躯体を壁つなぎの金物で結合し、該横バーの左右端で竪樋をかわした状態で足場と結合することにより、本設の竪樋と干渉せずに足場を建物躯体に固定することができる。
【００１７】
請求項２記載の本発明は、横バーと壁つなぎの金物とを結合する部分、および横バーと掛着金物とを結合する部分は、横バー上に設けたナットにより構成することを要旨とするものである。
【００１８】
請求項2期際の本発明によれば、横バーと壁つなぎの金物とを結合する部分、および横バーと掛着金物とを結合する部分の各々に横バー上に設けたナットにより螺合する構造とすることで、安価でかつ構造も簡単な足場の支持冶具を構成することができる。
【発明の効果】
【００１９】
以上述べたように本発明の足場の支持冶具は、壁などの外力による足場倒壊を防止する壁つなぎを設置したまま、本設の竪樋をつなぎ込むことができるものであり、本設の竪樋の設置により、工事中の雨水の吹き込み、雨水による外壁への汚れを防ぐことができる。また、仮設樋の設置工事が省略でき、仮設のビニール樋の設置も不要となる。
【００２０】
さらに、壁つなぎを介して直接建物躯体に取り付けた足場の設置が可能であり、安定した足場上で、安全に本設樋の取り付け、塗装が可能となる。
【発明を実施するための最良の形態】
【００２１】
以下、図面について本発明の実施の形態を詳細に説明する。図１は本発明の足場の支持冶具の１実施形態を示す使用状態の底面図、図２は同上側面図で、前記従来例を示す図５と同じく本設の竪樋１０の設置の場合であり、図中１は鉄骨柱、５は外壁パネル、６は外壁パネル５の目地で、竪樋１０は目地６を貫通する壁つなぎ材１２で固定する。
【００２２】
本実施形態は図２に示すように、壁つなぎ材１１は鉄骨柱１に結合する帯板であり、竪樋１０には開閉式に連結された割環体のバンド片１９を取付用ボルト１８を利用してねじの螺合により壁つなぎ材１１に結合した。
【００２３】
本発明は足場（枠組足場）を設置する場合に、設置しようとする竪樋１０の径よりも大きい長さを有する横バー１３を使用するものであり、この横バー１３は図３、図４に示すように帯状の金物であり、その平面上の中央部に壁つなぎの金物１４の結合部としてのナット１５を、また、左右端に足場への掛着金物１７を螺合するナット１６を設けた。
【００２４】
ナット１６には４分長ナットを使用し、その半分程度の長さをスミ肉溶接αで横バー１３に堅牢に固定する。ナット１５も同様にスミ肉溶接αで横バー１３に堅牢に固定する。
【００２５】
横バー１３はナット１５を用いて壁つなぎの金物１４と結合し、鉄骨柱１から外壁パネル５の目地６を貫通して、外側に配置される。
【００２６】
そして、この横バー１３の左右のナット１６には足場への掛着金物１７を螺合されるので、掛着金物１７の先端に設けたクランプ８で例えば仮設足場の足場はちまき単管９を結着することができる。
【００２７】
このようにして足場を設置する場合に、竪樋１０は横バー１３の足場への掛着金物１７の間に配置することができ、足場設置への干渉はない。
【００２８】
また、図２に示すように、竪樋１０を固定する割環体のバンド片１９を取付用ボルト１８により結合する本設の壁つなぎ材１１は、前記この横バー１３を設けるための壁つなぎの金物１４とは上下関係を持って並列するので、壁つなぎ同士の干渉もない。なお、図２で示す壁つなぎ材１２、壁つなぎの金物１４、掛着金物１７には様々なタイプの既製品があり、この横バー１３とは自由に組み合わせることができる。
【００２９】
足場を竪樋１０の設置に先行して設ける場合は、この足場を使用して、竪樋１０の設置を行うことができる。本発明の竪樋の支持冶具により、先に掛着金物１７により足場を設置する。その後、足場を利用して竪樋１０を設置する。
【００３０】
建設工事現場での作業は危険がともなうものであり、高所での樋の取り付け、塗装は本来、外部足場上で安全帯を使用し、作業すべきであるが、壁つなぎを取った安全な外部足場上での施工が可能である。
【００３１】
樋の塗装に関しては、作業車を用いた場合、不安定な姿勢が塗装ムラの原因となるが、本発明によれば、足場上で均一な塗装が可能であり、塗装ムラの削減が実現できる。
【００３２】
一方、竪樋１０は工事中の雨水の処理に利用でき、これを設置することで、雨水の吹き込みや雨水による外壁への外壁パネル５への汚れを防止できる。
【図面の簡単な説明】
【００３３】
【図１】本発明の足場の支持冶具の１実施形態を示す使用状態の底面図である。
【図２】本発明の足場の支持冶具の１実施形態を示す使用状態の側面図である。
【図３】本発明の足場の支持冶具を構成する横バーの平面図である。
【図４】本発明の足場の支持冶具を構成する横バーの正面図である。
【図５】従来例を示す平面図である。
【図６】足場の壁つなぎの一例を示す側面図である。
【符号の説明】
【００３４】
１…鉄骨柱１                  ２…帯状金具
３…棒状金属材                ４…袋ナット
５…外壁パネル                ６…目地
７…ネジ棒                    ７ａ…ターンバックル
８…クランプ                  ９…足場はちまき単管
１０…竪樋                    １１…壁つなぎ材
１２…壁つなぎ材              １３…横バー
１４…壁つなぎの金物          １５…ナット
１６…ナット                  １７…掛着金物
１８…取付用ボルト            １９…割環体のバンド片
【図１】
0005588221.tif 000002
【図２】
0005588221.tif 000003
【図３】
0005588221.tif 000004
【図４】
0005588221.tif 000005
【図５】
0005588221.tif 000006
【図６】
0005588221.tif 000007